(57)【特許請求の範囲】
【請求項１】
複数のラジオモジュールを有するユーザー端末における機器内共存干渉を処理する方法であって、
ロングタームエボリューション(ＬＴＥ)ラジオモジュールを非アクティブ状態からアクティブ状態に切り替える前にＬＴＥラジオモジュールに関連したＬＴＥ帯域で隣接帯域干渉を測定するステップと、
前記隣接帯域干渉値を所定のしきい値と比較するステップと、
比較結果に基づいて、前記ＬＴＥ帯域での機器内共存干渉に関連する情報を基地局(ｅＮＢ)に報告するステップと、
を有することを特徴とする方法。
【請求項２】
前記隣接帯域干渉値を前記所定のしきい値と比較するステップは、
前記隣接帯域干渉値が前記所定のしきい値以上であるか否かを判定するステップと、
前記隣接帯域干渉値が前記所定のしきい値以上である場合、産業的、科学的、及び医学的(ＩＳＭ)帯域でＩＳＭラジオモジュールが動作しているという指示を前記ｅＮＢに送信するステップと、
前記隣接帯域干渉値が前記所定のしきい値より小さい場合には、前記ＩＳＭ帯域で前記ＩＳＭラジオモジュールが動作しないという指示を前記ｅＮＢに送信するステップと、
を有することを特徴とする請求項１に記載の方法。
【請求項３】
前記ＩＳＭ帯域で前記ＩＳＭラジオモジュールが動作しないという指示をｅＮＢに送信するステップは、前記ＬＴＥ帯域のエッジサブバンドでデータパケットを伝送する指示を送信することを特徴とする請求項２に記載の方法。
【請求項４】
前記ＩＳＭ帯域で前記ＩＳＭラジオモジュールが動作しているという指示を前記ｅＮＢに送信するステップは、前記ｅＮＢが前記ＬＴＥ帯域のエッジサブバンドでデータパケットを伝送することを禁止させることを特徴とする請求項３に記載の方法。
【請求項５】
前記隣接帯域干渉値が前記所定のしきい値より小さい場合に前記ＬＴＥラジオモジュールにより前記ＬＴＥ帯域全体に第１のラジオフィルタを適用するステップと、
前記ＬＴＥ帯域で前記第１のラジオフィルタを適用することを前記ｅＮＢに報告するステップと、
をさらに有することを特徴とする請求項１に記載の方法。
【請求項６】
前記隣接帯域干渉が前記所定のしきい値以上である場合、前記ＬＴＥラジオモジュールにより前記ＬＴＥ帯域のエッジサブバンドに第２のラジオフィルタを適用するステップと、
前記ＬＴＥ帯域で前記第２のラジオフィルタが適用されることを前記ｅＮＢに報告するステップと、
をさらに有することを特徴とする請求項１に記載の方法。
【請求項７】
プロセッサと、
前記プロセッサとカップリングされるメモリと、を含み、
前記メモリは、
ロングタームエボリューション(ＬＴＥ)ラジオモジュールを非アクティブ状態からアクティブ状態に切り替える前に前記ＬＴＥラジオモジュールに関連したＬＴＥ帯域で隣接帯域干渉を測定し、
前記隣接帯域干渉値を所定のしきい値と比較し、
比較結果に基づいて前記ＬＴＥ帯域での機器内共存干渉に関連する情報を基地局(ｅＮＢ)に報告するように構成されるインターフェース管理モジュールを含むことを特徴とする装置。
【請求項８】
前記インターフェース管理モジュールは、
前記隣接帯域干渉値が前記所定のしきい値以上であるか否かを判定し、
前記隣接帯域干渉値が前記所定のしきい値以上である場合、産業的、科学的、及び医学的(ＩＳＭ)帯域でＩＳＭラジオモジュールが動作しているという指示を前記ｅＮＢに送信し、
前記隣接帯域干渉値が前記所定のしきい値より小さい場合、前記ＩＳＭ帯域で前記ＩＳＭラジオモジュールが動作しないという指示をｅＮＢに送信するように構成されることを特徴とする請求項７に記載の装置。
【請求項９】
前記インターフェース管理モジュールは、前記ＬＴＥ帯域のエッジサブバンドでデータパケットを伝送する指示を送信するように構成されることを特徴とする請求項８に記載の装置。
【請求項１０】
前記インターフェース管理モジュールは、前記ｅＮＢが前記ＬＴＥ帯域のエッジサブバンドでデータパケットを伝送することを禁止させるように構成されることを特徴とする請求項９に記載の装置。
【請求項１１】
前記インターフェース管理モジュールは、前記隣接帯域干渉値が前記所定のしきい値より小さい場合、前記ＬＴＥ帯域全体に第１のラジオフィルタを適用し、前記ＬＴＥ帯域で前記第１のラジオフィルタが適用されることを前記ｅＮＢに報告するように構成されることを特徴とする請求項７に記載の装置。
【請求項１２】
前記インターフェース管理モジュールは、前記隣接帯域干渉値が前記所定のしきい値以上である場合、前記ＬＴＥ帯域のエッジサブバンドに第２のラジオフィルタを適用し、前記ＬＴＥ帯域で前記第２のラジオフィルタが適用されることを前記ｅＮＢに報告するように構成されることを特徴とする請求項７に記載の装置。
【請求項１３】
第１のラジオフィルタ、及び第２のラジオフィルタを含むロングタームエボリューション(ＬＴＥ)ラジオモジュールと、
ＩＳＭラジオモジュールと、
コーディネータと、を含み、
前記コーディネータは、
前記ＬＴＥラジオモジュールを非アクティブ状態からアクティブ状態に切り替える前に前記ＬＴＥラジオモジュールに関連したＬＴＥ帯域で隣接帯域干渉を測定し、
前記隣接帯域干渉値を所定のしきい値と比較し、
比較結果に基づいて前記ＬＴＥ帯域での機器内共存干渉に関連する情報を基地局(ｅＮＢ)に報告するように構成されることを特徴とするシステム。
【請求項１４】
前記コーディネータは、前記隣接帯域干渉値が前記所定のしきい値より小さい場合、前記ＬＴＥ帯域全体に第１のラジオフィルタを適用し、前記ＬＴＥ帯域で前記第１のラジオフィルタを適用することを前記ｅＮＢに報告するように構成されることを特徴とする請求項１３に記載のシステム。
【請求項１５】
前記コーディネータは、前記隣接帯域干渉値が前記所定のしきい値以上である場合、前記ＬＴＥ帯域のエッジサブバンドに第２のラジオフィルタを適用し、前記ＬＴＥ帯域で前記第２のラジオフィルタを適用することを前記ｅＮＢに報告するように構成されることを特徴とする請求項１３に記載のシステム。
【請求項１６】
ユーザー端末における機器内共存干渉を処理する方法であって、
ユーザー端末のＩＳＭラジオモジュールからＩＳＭ帯域でＩＳＭ活動を開始する要求を指示する通知を受信するステップと、
ＬＴＥラジオモジュールのアクティブ状態の間にＬＴＥ帯域で任意のＬＴＥ活動が進行中であるか否かを判定するステップと、
前記ＬＴＥ活動が進行中でない場合、前記ＬＴＥラジオモジュールのアクティブ状態の間に前記ＬＴＥ帯域全体に第１のラジオフィルタを適用するステップと、
前記ＬＴＥ活動が進行中である場合、前記ＬＴＥ活動と前記ＩＳＭ活動が同時に進行中である場合には、前記ＩＳＭラジオモジュールと前記ＬＴＥラジオモジュールとの間の機器内共存干渉を解消する第２のラジオフィルタを前記ＬＴＥ帯域のエッジサブバンドに適用するステップと、
を有することを特徴とする方法。
【請求項１７】
前記ＬＴＥラジオモジュールのアクティブ状態の間に基地局(ｅＮＢ）が前記ＬＴＥ帯域のエッジサブバンドでデータパケットを伝送することを禁止させるステップをさらに有することを特徴とする請求項１６に記載の方法。
【請求項１８】
前記ＬＴＥラジオモジュールのアクティブ状態の間に前記ＩＳＭ活動を前記ＩＳＭ帯域で開始することを前記ＩＳＭラジオモジュールに指示するステップをさらに有することを特徴とする請求項１６に記載の方法。
【請求項１９】
プロセッサと、
前記プロセッサとカップリングされるメモリと、を含み、
前記メモリは、
ＩＳＭラジオモジュールからＩＳＭ帯域でＩＳＭ活動を開始する前記ＩＳＭラジオモジュールの要求を指示する通知を受信し、
ＬＴＥラジオモジュールのアクティブ状態の間にＬＴＥ帯域で任意のＬＴＥ活動が進行中であるか否かを判定し、
前記ＬＴＥ活動が進行中でない場合、前記ＬＴＥラジオモジュールのアクティブ状態の間にＬＴＥ帯域全体に前記第１のラジオフィルタを適用し、
前記ＬＴＥ活動が進行中である場合、前記ＬＴＥ活動と前記ＩＳＭ活動が同時に進行中である場合、前記ＩＳＭラジオモジュールと前記ＬＴＥラジオモジュールとの間の機器内共存干渉を解消する第２のラジオフィルタを前記ＬＴＥ帯域のエッジサブバンドに適用するように構成される干渉管理モジュールを含むことを特徴とする装置。
【請求項２０】
前記干渉管理モジュールは、前記ＬＴＥラジオモジュールのアクティブ状態の間に基地局(ｅＮＢ）が前記ＬＴＥ帯域のエッジサブバンドでデータパケットを伝送することを禁止させるように構成されることを特徴とする請求項１９に記載の装置。
【請求項２１】
前記干渉管理モジュールは、前記ＬＴＥラジオモジュールのアクティブ状態の間に前記ＩＳＭ帯域で前記ＩＳＭ活動を開始することを前記ＩＳＭラジオモジュールに指示するように構成されることを特徴とする請求項１９に記載の装置。
【請求項２２】
第１のラジオフィルタ、及び第２のラジオフィルタを含むＬＴＥラジオモジュールと、
ＩＳＭラジオモジュールと、
コーディネータと、を含み、
前記コーディネータは、
前記ＩＳＭラジオモジュールからＩＳＭ帯域でＩＳＭ活動を開始するＩＳＭラジオモジュールの要求を指示する通知を受信し、
前記ＬＴＥラジオモジュールのアクティブ状態の間にＬＴＥ帯域で任意のＬＴＥ活動が進行中であるか否かを判定し、
前記ＬＴＥ活動が進行中でない場合、前記ＬＴＥラジオモジュールのアクティブ状態の間に第１のラジオフィルタを前記ＬＴＥ帯域全体に適用し、
前記ＬＴＥ活動が進行中である場合、前記ＬＴＥ活動とＩＳＭ活動が同時に進行中である場合、前記ＩＳＭラジオモジュールと前記ＬＴＥラジオモジュールとの間の機器内共存干渉を解消する第２のラジオフィルタを前記ＬＴＥ帯域のエッジサブバンドに適用するように構成されることを特徴とするシステム。
【請求項２３】
前記コーディネータは、前記ＬＴＥラジオモジュールのアクティブ状態の間に基地局(ｅＮＢ）が前記ＬＴＥ帯域のエッジサブバンドでデータパケットを伝送することを禁止させるように構成されることを特徴とする請求項２２に記載のシステム。
【請求項２４】
前記コーディネータは、前記ＬＴＥラジオモジュールのアクティブ状態の間に前記ＩＳＭ帯域で前記ＩＳＭ活動を開始することを前記ＩＳＭラジオモジュールに指示するように構成されることを特徴とする請求項２２に記載のシステム。
【発明の詳細な説明】
【技術分野】
【０００１】
本発明は一般的に無線通信システムの分野に関するもので、より詳細にはマルチラジオ環境における機器内共存干渉(in-device co-existence Interference)を処理する方法及び装置に関する。
【背景技術】
【０００２】
産業的、科学的、及び医学的(Industrial、Scientific  and  Medical：ＩＳＭ)(ブルートゥース(登録商標)、Ｗｉ−Ｆｉ(登録商標)など)帯域技術及びグローバルナビゲーション衛星システム(ＧＴＮＳＳ)とＬＴＥ(Long Term Evolution)の共存は、携帯電話のようなユーザー端末(ＵＥ)で一般的な組み合わせとなることによって提供されることが必要である。これら技術は、各々特定の目的を満足させるために異なるグループにより開発された。それぞれの技術の特徴は、相互に異なる。これらは、異なる周波数で動作し、異なるアクセスメカニズム、異なるフレーム構造、及び異なるピーク送信電力を有する。
【０００３】
＜ブルートゥース（登録商標）とＬＴＥの共存＞
ＬＴＥ帯域７ＵＬとブルートゥース（登録商標）帯域は、２０ＭＨｚ周波数帯域により分離される。この帯域７は、周波数分割複信(ＦＤＤ)帯域であるので、ＬＴＥ受信器は、ブルートゥース（登録商標）送信器により影響を受けない一方で、ＬＴＥ送信器は、ブルートゥース（登録商標）受信器に影響を及ぼすことがある。また、ＬＴＥ帯域４０(時分割複信(ＴＤＤ)帯域)とブルートゥース（登録商標）周波数帯域との間では２ＭＨｚの非常に小さな分離のみが存在する。したがって、共存の場合にＬＴＥ帯域４０のより高い部分の使用を中止することは可能でない。図１Ａは、ＬＴＥ帯域とブルートゥース（登録商標）帯域との間の分離を概略的に示す。
【０００４】
＜Ｗｉ-Ｆｉ（登録商標）とＬＴＥの共存＞
Ｗｉ-Ｆｉ（登録商標）動作のためのＩＳＭ帯域には１４個のチャンネルが区分されている。各チャンネルは、他のチャンネルから５ＭＨｚで分離され、１２ＭＨｚで分離されたチャンネル番号１４のみが例外である。チャンネル番号１が２４０１ＭＨｚから始まることによって、ＬＴＥ帯域４０とＷｉ-Ｆｉ（登録商標）との間ではほぼ分離がない。Ｗｉ-Ｆｉ（登録商標）のチャンネル１４は、２４９５ＭＨｚで終了するので、ＬＴＥ帯域７とＷｉ-Ｆｉ（登録商標）との間では理論上５ＭＨｚの分離のみが利用可能である。いろいろな国家は、Ｗｉ-Ｆｉ（登録商標）の許容チャンネルの数に対して異なるポリシーを持っている。現在、多くの国家は、チャンネル１〜１３のみを許容する一方で、日本は、ＩＥＥＥ８０２.１１ｂベースの通信のみに対してチャンネル１４の使用を許容している。これは、Ｗｉ-Ｆｉ（登録商標）とＬＴＥ帯域７との間で理論上５ＭＨｚの分離のみが利用可能であるが、実際には少なくとも１７ＭＨｚを利用できることを暗示している。図１Ｂは、ＬＴＥ帯域とＷｉ-Ｆｉ（登録商標）帯域との間の分離を概略的に示す。
【０００５】
＜ＷｉＭａｘとＬＴＥの共存＞
１０ＭＨｚがＷｉＭａｘ(Worldwide interoperability for Microwave Access：登録商標)通信に使用され、他の１０ＭＨｚがＬＴＥ通信に使用される場合、ＬＴＥラジオモジュールとＷｉＭａｘラジオモジュールとの間にも機器内共存干渉が存在することがある。２個の帯域が相互に異なるため、ＷｉＭａｘラジオモジュールとＬＴＥラジオモジュールとの間の機器内共存干渉の可能性は低い。しかしながら、ラジオフィルタでの漏れ(leakage)によって機器内共存干渉が発生し、特に副搬送波当たりサイドローブ(per-sub-carrier  side  lobe)が相対的に徐々に落ちない可能性がある。ＬＴＥラジオモジュールとＷｉＭａｘラジオモジュールの共存は、図１Ｃに示されている。図１Ｃからわかるように、ＷｉＭａｘラジオモジュールのダウンリンク部分は、ＬＴＥラジオモジュールのアップリンク部分と重なり、その結果、フレーム境界の間で同期化が維持されるにもかかわらず、相当量の干渉が発生する。
【発明の概要】
【発明が解決しようとする課題】
【０００６】
このようなすべての技術が隣接帯域(例えば、＜２０ＭＨｚの小さな分離)で同時に動作する場合、一般的に５０ｄＢのアイソレーションが必要である。しかしながら、ＵＥのＳＦＦ(Small Form Factor)は、１０〜３０ｄＢのアイソレーションのみを提供する。その結果、１個のラジオの送信器は、他のラジオの受信器にひどく影響を与える。例えば、ＵＥのＳＦＦは、ＩＳＭ技術の伝送からＬＴＥ又はＷｉＭａｘのようなセルラー技術の受信器に対する干渉という大きな問題点をもたらす恐れがある。同様に、セルラー技術の送信器は、ＩＳＭ受信器に対する激しい干渉を起こす恐れもある。機器内共存問題の主な原因は、電力増幅器、アナログ-デジタル変換器の制限されたダイナミックレンジによる受信器ブロッキング、及び不完全なフィルタリングによる帯域外放射(out of band emission)のためである。
【課題を解決するための手段】
【０００７】
本発明は、マルチラジオ環境における機器内共存干渉を処理する方法及び装置を提供する。
【図面の簡単な説明】
【０００８】
【図１Ａ】本発明の背景において、ＬＴＥ帯域とブルートゥース（登録商標）帯域との間の分離を概略的に示す図である。
【図１Ｂ】本発明の背景において、ＬＴＥ帯域とＷｉ-Ｆｉ（登録商標）帯域との間の分離を概略的に示す図である。
【図１Ｃ】本発明の背景において、ＬＴＥ帯域とＷｉＭａｘ帯域との間の分離を概略的に示す図である。
【図２】本発明の一実施形態により、ＬＴＥラジオモジュールと産業的、科学的、及び医学的(ＩＳＭ)ラジオモジュールとの間の機器内共存干渉を処理するための無線通信システムのブロック構成図である。
【図３】本発明の一実施形態により、ＬＴＥラジオモジュールとＩＳＭラジオとの間の機器内共存干渉を処理する例示的方法のプロセスを示すフローチャートである。
【図４】本発明の一実施形態により、ＬＴＥラジオモジュールとＩＳＭラジオモジュールとの間の機器内共存干渉を処理する例示的方法のプロセスを示すフローチャートである。
【図５】本発明による実施形態を実現する多様な構成要素を示すコーディネータを示すブロック構成図である。
【発明を実施するための形態】
【０００９】
以下、本発明の望ましい実施形態を添付の図面を参照して詳細に説明する。
以後の説明では、添付の図面を参照するが、これら図面は本発明の特定実施形態を例示的に示す。また、本発明の範囲及び精神を逸脱することなく、以下に説明される本発明の様々な変形及び変更が可能であることは、当該技術分野における通常の知識を持つ者には明らかである。したがって、本発明の範囲は、以下の詳細な説明に限定されるものではなく、特許請求の範囲の記載に基づいて定められるべきである。
【００１０】
図２は、本発明の一実施形態により、ユーザー端末(ＵＥ)２５１でＬＴＥラジオモジュール２０２とＩＳＭラジオモジュール２０４との間の機器内共存干渉を処理する無線通信システム２００を示すブロック構成図である。図２において、無線通信システム２００は、無線ネットワーク(例えば、ＬＴＥネットワーク)２５２を介して接続される基地局(evolved  node  B：ｅＮＢ)２５０とＵＥ２５１を含む。ＵＥ２５１は、ＬＴＥラジオモジュール２０２、ＩＳＭラジオモジュール２０４、及びコーディネータ２０６を含む。
【００１１】
一実施形態によると、コーディネータ２０６は、ＬＴＥラジオモジュール２０２とＩＳＭラジオモジュール２０４との間の機器内共存干渉を処理するように構成される。例示的動作において、ｅＮＢ２５０は、ＬＴＥラジオモジュール２０２がＬＴＥ  ＯＮ区間で動作するようにＬＴＥ  ＯＮ及びＯＦＦ区間を有するスケジューリングギャップパターンをＵＥ２５１に通信する。したがって、コーディネータ２０６は、ＬＴＥラジオモジュール２０２がＬＴＥ  ＯＮ区間(以下、“アクティブ状態”と称する)でデータ送受信を遂行し、ＩＳＭラジオモジュール２０４は、ＬＴＥ  ＯＦＦ区間(以下、“非アクティブ状態”と称する)で任意のＩＳＭ活動を遂行できるようにＬＴＥラジオモジュール２０２を構成する。このような場合、ＬＴＥラジオモジュール２０２がＩＳＭラジオモジュール２０４に干渉を起こすか、あるいはＩＳＭラジオモジュール２０４により干渉を受ける可能性は低い。しかしながら、ＩＳＭ帯域でＩＳＭ活動が進行中である状態でＬＴＥラジオモジュール２０２がＬＴＥ帯域でＬＴＥ活動を開始しようとする場合、機器内共存干渉は、ＵＥ２５１で発生することができる。この機器内共存干渉は、ＬＴＥ帯域でＬＴＥ活動が進行中である状態でＩＳＭラジオモジュール２０４がＩＳＭ帯域でＩＳＭ活動をしようとする場合にも発生することができる。
【００１２】
本発明によると、コーディネータ２０６は、ＩＳＭラジオモジュール２０４とＬＴＥラジオモジュール２０２との間のこのような干渉をＬＴＥラジオモジュール２０２のラジオフィルタ２０８，２１０を用いて処理するように構成される。ここで、第１のラジオフィルタ２０８は、ＬＴＥ帯域全体(例えば、２０ＭＨｚ帯域全体)に適用され、第２のラジオフィルタ２１０は、ＬＴＥ帯域のエッジの高い減衰を有する部分で適用される。ラジオフィルタ２０８，２１０は、必要に応じてＬＴＥ帯域で適切に適用される。ラジオフィルタ２０８，２１０は、ハードウェア、ソフトウェア、又はこれらの組み合わせにより実現され得る。図３及び図４では、コーディネータ２０６がＵＥ２５１で機器内共存干渉を処理するプロセスステップについてより詳細に説明する。
【００１３】
ＵＥ２５１がＷｉＭａｘラジオモジュールとＬＴＥラジオモジュール２０２を含む場合、コーディネータ２０６は、ＷｉＭａｘラジオモジュールとＬＴＥラジオモジュール２０２との間の機器内共存干渉を解決するために第２のラジオフィルタ２１０を適用する。第２のラジオフィルタ２１０の使用により、ＷｉＭａｘラジオモジュールは、重複領域(overlapping  region)の中心サブバンドでデータ活動を遂行し、それによって周波数帯域を最適に使用可能にする。あるいは、ＷｉＭａｘラジオモジュールとＬＴＥラジオモジュール２０２との間の機器内共存干渉は、重複領域でＤＬデータの伝送を避けることによって解決することもできる。
【００１４】
図３は、本発明の一実施形態により、ＬＴＥラジオモジュール２０２とＩＳＭラジオモジュール２０４との間の機器内共存干渉を処理する例示的方法を示すプロセスフローチャートである。図３において、プロセスステップ３０２〜３１４は、ＩＳＭ活動が進行中である状態でＬＴＥラジオモジュール２０２がＬＴＥ帯域でＬＴＥ活動を開始しようとする場合に機器内共存干渉を処理する方法を示す。
【００１５】
ステップ３０２において、隣接帯域干渉は、ＬＴＥラジオモジュール２０２がＬＴＥ活動を開始しようとするＬＴＥ帯域で測定される。この隣接帯域干渉は、ＬＴＥラジオモジュールが非アクティブ状態からアクティブ状態に切り替えられる前にＬＴＥ帯域で測定される。隣接帯域干渉は、ＬＴＥ帯域に任意の干渉が存在するか否かを決定することを助ける。言い換えれば、隣接帯域干渉は、ＬＴＥ帯域で電力レベルを測定することによって、ＬＴＥラジオモジュール２０２が非アクティブ状態からアクティブ状態に切り替えられる場合、ＩＳＭ帯域でいかなるＩＳＭ活動も進行中でないことを示す。
【００１６】
ステップ３０４において、隣接帯域干渉を所定のしきい値と比較してアクティブ状態でＬＴＥラジオモジュール２０２の動作に影響を及ぼす干渉のレベルを決定する。ステップ３０６において、隣接帯域干渉が所定のしきい値以上であるか否かを判定する。隣接帯域干渉が所定のしきい値以上であると、ＩＳＭラジオモジュール２０４は、隣接帯域干渉が測定された場合に、ＩＳＭ帯域で動作中であることを暗示する。隣接帯域干渉が所定のしきい値分以上であると判定される場合、ステップ３０８において、ＬＴＥラジオモジュール２０２は、ＬＴＥ帯域で第２のラジオフィルタ２１０を適用する。第１のラジオフィルタ２０８は、全体ＬＴＥ帯域をカバーするため、ＬＴＥラジオモジュール２０２の非アクティブ状態で測定された隣接帯域干渉は、ＩＳＭラジオモジュールの状態を示す。隣接帯域干渉が所定のしきい値以上であると、ＬＴＥラジオモジュール２０２は、ＬＴＥ帯域で第２のラジオフィルタ２１０を適用し、そうでない場合には、継続して第１のラジオフィルタ２０８を使用する。第２のラジオフィルタ２１０は、ＬＴＥ帯域のエッジの高い減衰を有する部分ＬＴＥ帯域をカバーし、ＩＳＭ帯域で同時に動作している場合に高い干渉及び後続するラジオブロッキングを除去する。
【００１７】
ステップ３１０において、ＬＴＥ帯域での機器内共存干渉の可能性は、ｅＮＢ２５０に報告される。一実施形態において、機器内共存干渉は、階層２/階層３シグナリングメッセージでｅＮＢ２５０に報告される。シグナリングメッセージは、ＩＳＭ帯域でＩＳＭラジオモジュール２０４が動作していることを示し、隣接帯域干渉によりＬＴＥ帯域で第２のラジオフィルタ２１０が適用されることも示す。また、シグナリングメッセージは、ＩＳＭ活動が進行中であるので、ｅＮＢ２５０がＬＴＥ帯域のエッジサブバンドでデータパケットを伝送しないことを示すことができる。これは、ＬＴＥラジオモジュール２０２とＩＳＭラジオモジュール２０４との間で干渉を起こすことを避けることができる。例えば、シグナリングメッセージは、ＲＲＣ接続要請メッセージ、ＲＲＣ接続設定完了メッセージ、又はＲＲＣ接続再構成完了メッセージであり得る。
【００１８】
ステップ３０６において、隣接帯域干渉が所定のしきい値より小さいと判定されると、ＩＳＭラジオモジュール２０４は、隣接帯域干渉が測定された場合にＩＳＭ帯域で動作しないことを暗示する。このような場合、第１のラジオフィルタ２０８は、ステップ３１２で、全体ＬＴＥ帯域で適用される。ステップ３１４において、ＬＴＥ帯域で機器内共存干渉の不在は、ｅＮＢ２５０に報告される。一実施形態において、機器内共存干渉の不在は、 階層２/階層３シグナリングメッセージでｅＮＢ２５０に報告される。シグナリングメッセージは、ＩＳＭ帯域でＩＳＭラジオモジュール２０４が動作しないことを示し、第１のラジオフィルタ２０８が機器内共存干渉の不在によってＬＴＥ帯域で適用されることも示す。さらに、シグナリングメッセージは、ＩＳＭラジオモジュールが動作しないため、ｅＮＢ２５０がＬＴＥ帯域のエッジサブバンドでデータパケットを伝送することを示すことができる。例えば、シグナリングメッセージは、ＲＲＣ接続要請メッセージ、ＲＲＣ接続設定完了メッセージ、又はＲＲＣ接続再構成完了メッセージであり得る。
【００１９】
図４は、本発明の他の実施形態により、ＬＴＥラジオモジュール２０２とＩＳＭラジオモジュール２０４との間の機器内共存干渉を処理する例示的方法を示すプロセスフローチャート４００である。図４において、プロセスステップは、ＬＴＥ活動が進行中である状態でＩＳＭラジオモジュール２０４がＩＳＭ帯域でＩＳＭ活動を開始しようとする場合に機器内共存干渉を処理する方法を示す。
【００２０】
ＩＳＭラジオモジュール２０４がＬＴＥ活動が進行中である間にＩＳＭ帯域でＩＳＭ活動を開始しようとする場合、ステップ４０２で、ＩＳＭ帯域でＩＳＭ活動を開始しようとする要求を示す通知は、ＩＳＭラジオモジュール２０４から受信される。ステップ４０４において、ＬＴＥラジオモジュール２０２のアクティブ状態で任意のＬＴＥ活動がＬＴＥ帯域で進行中であるか否かを判定する。進行中であるＬＴＥ活動がある場合、ステップ４０６で、第２のラジオフィルタ２１０は、ＬＴＥ帯域で適用される。ステップ４０８において、ｅＮＢ２５０は、ＬＴＥラジオモジュール２０２のアクティブ状態でＬＴＥ帯域のエッジサブバンドでデータパケットを伝送しないことを示している。また、ｅＮＢ２５０は、アクティブ状態で第２のラジオフィルタ２１０がＬＴＥ帯域で適用されることがシグナリングされる。ステップ４１０において、ＩＳＭラジオモジュール２０４は、ＬＴＥラジオモジュールのアクティブ状態でＩＳＭ活動をＩＳＭ帯域で開始することがシグナリングされる。
【００２１】
進行中であるＬＴＥ活動がない場合には、ステップ４１２で、ＩＳＭラジオモジュール２０４は、ＩＳＭ活動をＩＳＭ帯域で開始することがシグナリングされる。上記指示は、階層２/階層３シグナリングメッセージでＩＳＭラジオモジュールにシグナリングすることができる。例えば、上記指示は、メディアアクセス制御(ＭＡＣ)制御要素又はバッファ状態報告メッセージでシグナリングすることができる。
【００２２】
図５は、本発明による実施形態を実現するための多様な構成要素を示すコーディネータ２０６のブロック構成図である。図５において、コーディネータ２０６は、プロセッサ５０２、メモリ５０４、読み取り専用メモリ(ＲＯＭ)５０６、通信インターフェース５０８、及びバス５１０を含む。
【００２３】
ここで使用されるプロセッサ５０２は、マイクロプロセッサ、マイクロコントローラ、ＣＩＳＣ(Complex Instruction Set Computing)マイクロプロセッサ、ＲＩＳＣ(Reduced Instruction Set Computing)マイクロプロセッサ、ＶＬＩＷ(Very Long Instruction Word)マイクロプロセッサ、ＥＰＩＣ(Explicitly Parallel Instruction Computing)マイクロプロセッサ、グラフィックプロセッサ、デジタル信号プロセッサ、又は他のタイプの処理回路のような任意のタイプの計算回路を意味するが、これに限定されるものではない。プロセッサ５０２は、汎用又はプログラム可能な論理デバイスもしくはアレイ、アプリケーション特定集積回路、単一チップコンピュータ、スマートカードのような内蔵型制御器を含むことができる。
【００２４】
メモリ５０４は、揮発性メモリ及び非揮発性メモリであり得る。メモリ５０４は、図２〜図４に示す実施形態により、ＬＴＥラジオモジュール２０２とＩＳＭラジオモジュール２０４との間の機器内共存干渉を処理するための干渉管理モジュール５１２を含む。多様なコンピュータ読み取り可能な記録媒体は、メモリ要素に格納され、そのメモリ要素からアクセスされ得る。メモリ要素は、読み取り専用メモリ、ランダムアクセスメモリ、消去型プログラム可能な読み取り専用メモリ、電気的消去型プログラム可能な読み取り専用メモリ、ハードドライブ、メモリカード処理用削除型メディアドライブ、メモリスティック(登録商標)のように、データ及び機械読み取り可能な命令語を格納する任意の適切なメモリデバイスを含むことができる。
【００２５】
本発明による実施形態では、タスクを実行し、あるいは抽象データ型又は低レベルハードウェアコンテキストを定義するファンクション、手順、データ構造、及びアプリケーションプログラムを含むモジュールと連係して実現することができる。上述した記録媒体のうちいずれかに格納される機械読み取り可能な命令語は、プロセッサ５０２により実行できる。例えば、コンピュータプログラムは、本発明に対する思想及び上記の実施形態により、ＬＴＥラジオモジュール２０２とＩＳＭラジオモジュール２０４との間の機器内共存干渉を処理できる機械読み取り可能な命令語を含むことができる。一実施形態において、コンピュータプログラムは、記録媒体に含まれ、この記録媒体から非揮発性メモリのハードドライブにローディングできる。
【００２６】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。また、本明細書で説明した多様な装置、モジュール、選択器、推定器などは、例えば、機械読み取り可能媒体に実施した相補金属酸化半導体基盤の論理回路のようなハードウェア回路、ファームウエア、ソフトウェア、及び/又はハードウェア、ファームウェア、及び／又はソフトウェアの任意の組み合わせを用いてイネーブル及び動作することができる。例えば、多様な電気的構造及び方法は、トランジスタ、論理ゲート、及びアプリケーション特定集積回路のような電気回路を用いて実施することができる。
【符号の説明】
【００２７】
２００  無線通信システム
２０２  ＬＴＥラジオモジュール
２０４  ＩＳＭラジオモジュール
２０６  コーディネータ
２０８  第１のラジオフィルタ
２１０  第２のラジオフィルタ
２５０  基地局
２５１  ユーザ端末機
２５２  ネットワーク
【図１Ａ】
0005859014.tif 000002
【図１Ｂ】
0005859014.tif 000003
【図１Ｃ】
0005859014.tif 000004
【図２】
0005859014.tif 000005
【図３】
0005859014.tif 000006
【図４】
0005859014.tif 000007
【図５】
0005859014.tif 000008